(57)【要約】【課題】  端末を用いて、簡単な操作で相手に自分の気持ちを容易に伝えることが可能なコミュニケーションプログラム、コミュニケーション方法、および、情報処理装置を提供する。【解決手段】  コンピュータに、記憶機能と、他ユーザ選択画面生成機能と、他ユーザ選択受付機能と、リアクション選択画面生成機能と、リアクション選択受付機能とを実現させ、記憶機能は、一の他のユーザと、一のリアクションと、一のユーザとを対応付けて所定の記憶装置に記憶させ、コンピュータに、さらに、複数のユーザの中の特定のユーザからの要求に基づいて、当該特定のユーザの端末の表示画面に、当該特定のユーザに対応付けて記憶されたリアクションの数に関する情報を表示するための情報を生成するステータス画面表示生成機能を実現させることを特徴とする。【選択図】      図３
2019101691.tif 000002
【特許請求の範囲】
【請求項１】
コンピュータに、
複数のユーザのユーザ名を所定の記憶装置に記憶させる記憶機能と、
一のユーザからの要求に応じ、当該一のユーザの端末の表示画面に、前記記憶機能に記憶された前記一のユーザを除く複数の他のユーザを選択可能に表示するための情報を生成する他ユーザ選択画面生成機能と、
前記一のユーザによる前記複数の他のユーザの中からの一の他のユーザの選択を受け付ける他ユーザ選択受付機能と、
前記一のユーザの端末の表示画面に、当該一のユーザにより選択された前記一の他のユーザに対して、前記一のユーザが伝えるべき気持ちを表すテキストを含む１以上のリアクションを選択可能に表示するための情報を生成するリアクション選択画面生成機能と、
前記一のユーザによる前記１以上のリアクションの中からの一のリアクションの選択を受け付けるリアクション選択受付機能と
を実現させ、
前記記憶機能は、前記一の他のユーザと、前記一のリアクションと、前記一のユーザとを対応付けて前記所定の記憶装置に記憶させ、
前記コンピュータに、さらに、
前記複数のユーザの中の特定のユーザからの要求に基づいて、当該特定のユーザの端末の表示画面に、当該特定のユーザに対応付けて記憶されたリアクションの数に関する情報を表示するための情報を生成するステータス画面表示生成機能を実現させることを特徴とするコミュニケーションプログラム。
【請求項２】
前記コンピュータに、さらに、
前記特定のユーザからの要求に基づいて、当該特定のユーザに対応付けて記憶されたリアクションを選択した１以上のユーザのユーザ名を選択可能に表示するための情報を生成するユーザ名表示画面生成機能と、
前記特定のユーザによる、前記１以上のユーザのユーザ名の中からの一のユーザ名の選択に応じて、当該ユーザ名に対応するユーザに対して前記特定のユーザが伝えるべき１以上のコメントの入力を受け付けるコメント受付機能と
を実現させることを特徴とする請求項１に記載のコミュニケーションプログラム。
【請求項３】
前記コンピュータに、さらに、
前記特定のユーザによる、前記１以上のユーザのユーザ名の中からの一のユーザ名の選択に応じて、当該ユーザ名に対応するユーザに対して前記特定のユーザが伝えるべき１以上のコメントを選択可能に表示するための情報を生成するコメント表示画面生成機能を実現させ、
前記コメント受付機能は、前記特定のユーザによる、前記１以上のコメントの中から一のコメントの選択に応じて、前記ユーザ名に対応するユーザに対して前記特定のユーザが伝えるべき１以上のコメントの入力を受け付けることを特徴とする請求項２に記載のコミュニケーションプログラム。
【請求項４】
前記ステータス画面表示生成機能は、前記特定のユーザの端末の表示画面に、前記特定のユーザに対応付けて記憶されたリアクションの数に関する情報に加え、前記特定のユーザに対して返信されたコメントに関する情報を表示するための情報を生成する請求項２または３に記載のコミュニケーションプログラム。
【請求項５】
前記コンピュータに、さらに、
前記複数のユーザ同士がリアルタイムにコメントを送受信可能なチャット機能を実現させることを特徴とする請求項１〜４のいずれか一項に記載のコミュニケーションプログラム。
【請求項６】
前記コンピュータに、さらに、
前記コメントに含まれる前記リアクションに対応する言葉を抽出して前記リアクションの数に加える抽出機能を実現させることを特徴とする請求項５に記載のコミュニケーションプログラム。
【請求項７】
前記コンピュータに、さらに、
前記リアクションの選択回数が設定値以下のユーザに対し、他のユーザとのコミュニケーションを促すメッセージを通知する通知機能を実現させることを特徴とする請求項１〜６のいずれか一項に記載のコミュニケーションプログラム。
【請求項８】
前記コンピュータに、さらに、
対応付けて記憶されたリアクションの数が設定値以下のユーザに対し、他のユーザとのコミュニケーションを促すメッセージを通知する通知機能を実現させることを特徴とする請求項１〜７のいずれか一項に記載のコミュニケーションプログラム。
【請求項９】
コンピュータに、
複数のユーザのユーザ名を所定の記憶装置に記憶させる記憶ステップと、
一のユーザからの要求に応じ、当該一のユーザの端末の表示画面に、前記記憶ステップに記憶された前記一のユーザを除く複数の他のユーザを選択可能に表示するための情報を生成する他ユーザ選択画面生成ステップと、
前記一のユーザによる前記複数の他のユーザの中からの一の他のユーザの選択を受け付ける他ユーザ選択受付ステップと、
前記一のユーザの端末の表示画面に、当該一のユーザにより選択された前記一の他のユーザに対して、前記一のユーザが伝えるべき気持ちを表すテキストを含む１以上のリアクションを選択可能に表示するための情報を生成するリアクション選択画面生成ステップと、
前記一のユーザによる前記１以上のリアクションの中からの一のリアクションの選択を受け付けるリアクション選択受付ステップと
を実行させ、
前記記憶ステップは、前記一の他のユーザと、前記一のリアクションと、前記一のユーザとを対応付けて前記所定の記憶装置に記憶させ、
前記コンピュータに、さらに、
前記複数のユーザの中の特定のユーザからの要求に基づいて、当該特定のユーザの端末の表示画面に、当該特定のユーザに対応付けて記憶されたリアクションの数に関する情報を表示するための情報を生成するステータス画面表示生成ステップを実行させることを特徴とするコミュニケーション方法。
【請求項１０】
複数のユーザのユーザ名を所定の記憶装置に記憶させる記憶部と、
一のユーザからの要求に応じ、当該一のユーザの端末の表示画面に、前記記憶機能に記憶された前記一のユーザを除く複数の他のユーザを選択可能に表示するための情報を生成する他ユーザ選択画面生成部と、
前記一のユーザによる前記複数の他のユーザの中からの一の他のユーザの選択を受け付ける他ユーザ選択受付部と、
前記一のユーザの端末の表示画面に、当該一のユーザにより選択された前記一の他のユーザに対して、前記一のユーザが伝えるべき気持ちを表すテキストを含む１以上のリアクションを選択可能に表示するための情報を生成するリアクション選択画面生成部と、
前記一のユーザによる前記１以上のリアクションの中からの一のリアクションの選択を受け付けるリアクション選択受付部と
を備え、
前記記憶部は、前記一の他のユーザと、前記一のリアクションと、前記一のユーザとを対応付けて前記所定の記憶装置に記憶させ、
さらに、
前記複数のユーザの中の特定のユーザからの要求に基づいて、当該特定のユーザの端末の表示画面に、当該特定のユーザに対応付けて記憶されたリアクションの数に関する情報を表示するための情報を生成するステータス画面表示生成部を備えることを特徴とする情報処理装置。
【発明の詳細な説明】
【技術分野】
【０００１】
本発明は、コミュニケーションプログラム、コミュニケーション方法、および、情報処理装置であって、特に、端末を用いて、相手に自分の気持ちを容易に伝えることが可能なコミュニケーションプログラム、コミュニケーション方法、および、情報処理装置に関するものである。
【背景技術】
【０００２】
近年、職場等の組織内において、上司と部下の関係、または、同僚同士の関係におけるコミュニケーション不足が危惧されている。このようなコミュニケーション不足の状態は、互いの行動への誤解を生じることにつながり、人間関係が悪化するおそれがある。
【０００３】
このような状況を改善するために、業務としての面談や、業務時間外での食事会等が開催されることもあるが、積極的な対面でのコミュニケーションの強制が逆にストレスに感じる人も多い。
【０００４】
そのため、近年では、コンピュータ等を用いて対面ではないコミュニケーションを図る技術も盛んに開発されている。また、ＳＮＳ等では感情を示すボタンを押すことで相手に気持ちを伝えることも可能である。
【０００５】
また、特許文献１には、アイコンバッチを感情表現として端末上に表せない言語を代弁するための表現態様で表示するシステムにおいて、このアイコンバッチに係るデータ検索の高速化や暗号化を施すためのデータ管理システムが開示されている。
【先行技術文献】
【特許文献】
【０００６】
【特許文献１】特開２０１６−９０３０号公報
【発明の概要】
【発明が解決しようとする課題】
【０００７】
特許文献１に記載された発明において、データ管理の対象となるデータは、主にコンピュータグラフィックを用いて表現されるアイコンバッチである。コンピュータグラフィックを用いたアイコンバッチのデータ、および、ユーザから評価として入力されたテキストなどのデータは、大容量かつ処理が複雑であり、このような問題を解決するための手段として、特許文献１に記載されたような技術が求められる。
【０００８】
一方で、高度な機能を有するソフトウェアは、ユーザの使用意欲を減退させるのも実情である。本発明者は、コンピュータを用いたコミュニケーションを、より気軽なものにしたいと考えて鋭意検討を行った。その結果、ユーザにテキスト入力等の操作を強制することなく、自らの伝えたい気持ちを表示されたコメントの中から選択して相手に送信することで、適度なコミュニケーションを実現できるのではとの思想に想到した。
【０００９】
したがって、本発明の目的は、端末を用いて、簡単な操作で相手に自分の気持ちを容易に伝えることが可能なコミュニケーションプログラム、コミュニケーション方法、および、情報処理装置を提供することにある。
【課題を解決するための手段】
【００１０】
本発明のコミュニケーションプログラムは、コンピュータに、複数のユーザのユーザ名を所定の記憶装置に記憶させる記憶機能と、一のユーザからの要求に応じ、当該一のユーザの端末の表示画面に、記憶機能に記憶された一のユーザを除く複数の他のユーザを選択可能に表示するための情報を生成する他ユーザ選択画面生成機能と、一のユーザによる複数の他のユーザの中からの一の他のユーザの選択を受け付ける他ユーザ選択受付機能と、一のユーザの端末の表示画面に、当該一のユーザにより選択された一の他のユーザに対して、一のユーザが伝えるべき気持ちを表すテキストを含む１以上のリアクションを選択可能に表示するための情報を生成するリアクション選択画面生成機能と、一のユーザによる１以上のリアクションの中からの一のリアクションの選択を受け付けるリアクション選択受付機能とを実現させ、記憶機能は、一の他のユーザと、一のリアクションと、一のユーザとを対応付けて所定の記憶装置に記憶させ、コンピュータに、さらに、複数のユーザの中の特定のユーザからの要求に基づいて、当該特定のユーザの端末の表示画面に、当該特定のユーザに対応付けて記憶されたリアクションの数に関する情報を表示するための情報を生成するステータス画面表示生成機能を実現させることを特徴とする。
【００１１】
本発明のコミュニケーションプログラムは、コンピュータに、さらに、特定のユーザからの要求に基づいて、当該特定のユーザに対応付けて記憶されたリアクションを選択した１以上のユーザのユーザ名を選択可能に表示するための情報を生成するユーザ名表示画面生成機能と、特定のユーザによる、前記１以上のユーザのユーザ名の中からの一のユーザ名の選択に応じて、当該ユーザ名に対応するユーザに対して特定のユーザが伝えるべき１以上のコメントの入力を受け付けるコメント受付機能とを実現させることができる。
【００１２】
本発明のコミュニケーションプログラムは、コンピュータに、さらに、特定のユーザによる、前記１以上のユーザのユーザ名の中からの一のユーザ名の選択に応じて、当該ユーザ名に対応するユーザに対して特定のユーザが伝えるべき１以上のコメントを選択可能に表示するための情報を生成するコメント表示画面生成機能を実現させ、コメント受付機能は、特定のユーザによる、前記１１以上のコメントの中からの一のコメントの選択に応じて、ユーザ名に対応するユーザに対して特定のユーザが伝えるべき１以上のコメントの入力を受け付けることができる。
【００１３】
本発明のステータス画面表示生成機能は、前記特定のユーザの端末の表示画面に、特定のユーザに対応付けて記憶されたリアクションの数に関する情報に加え、特定のユーザに対して返信されたコメントに関する情報も表示するための情報を生成することができる。
【００１４】
本発明のコミュニケーションプログラムは、コンピュータに、さらに、複数のユーザ同士がリアルタイムにコメントを送受信可能なチャット機能を実現させることができる。
【００１５】
本発明のコミュニケーションプログラムは、コンピュータに、さらに、コメントに含まれるリアクションに対応する言葉を抽出してリアクションの数に加える抽出機能を実現させることができる。
【００１６】
本発明のコミュニケーションプログラムは、コンピュータに、さらに、リアクションの選択回数が設定値以下のユーザに対し、他のユーザとのコミュニケーションを促すメッセージを通知する通知機能を実現させることができる。
【００１７】
本発明のコミュニケーションプログラムは、コンピュータに、さらに、対応付けて記憶されたリアクションの数が設定値以下のユーザに対し、他のユーザとのコミュニケーションを促すメッセージを通知する通知機能を実現させることができる。
【００１８】
本発明のコミュニケーション方法は、コンピュータに、複数のユーザのユーザ名を所定の記憶装置に記憶させる記憶ステップと、一のユーザからの要求に応じ、当該一のユーザの端末の表示画面に、記憶ステップに記憶された一のユーザを除く複数の他のユーザを選択可能に表示するための情報を生成する他ユーザ選択画面生成ステップと、一のユーザによる複数の他のユーザの中からの一の他のユーザの選択を受け付ける他ユーザ選択受付ステップと、一のユーザの端末の表示画面に、当該一のユーザにより選択された一の他のユーザに対して、一のユーザが伝えるべき気持ちを表すテキストを含む１以上のリアクションを選択可能に表示するための情報を生成するリアクション選択画面生成ステップと、一のユーザによる１以上のリアクションの中からの一のリアクションの選択を受け付けるリアクション選択受付ステップとを実行させ、記憶ステップは、一の他のユーザと、一のリアクションと、一のユーザとを対応付けて所定の記憶装置に記憶させ、コンピュータに、さらに、複数のユーザの中の特定のユーザからの要求に基づいて、当該特定のユーザの端末の表示画面に、当該特定のユーザに対応付けて記憶されたリアクションの数に関する情報を表示するための情報を生成するステータス画面表示生成ステップを実行させることを特徴とする。
【００１９】
本発明の情報処理装置は、複数のユーザのユーザ名を所定の記憶装置に記憶させる記憶部と、一のユーザからの要求に応じ、当該一のユーザの端末の表示画面に、記憶機能に記憶された一のユーザを除く複数の他のユーザを選択可能に表示するための情報を生成する他ユーザ選択画面生成部と、一のユーザによる複数の他のユーザの中からの一の他のユーザの選択を受け付ける他ユーザ選択受付部と、一のユーザの端末の表示画面に、当該一のユーザにより選択された一の他のユーザに対して、一のユーザが伝えるべき気持ちを表すテキストを含む１以上のリアクションを選択可能に表示するための情報を生成するリアクション選択画面生成部と、一のユーザによる１以上のリアクションの中からの一のリアクションの選択を受け付けるリアクション選択受付部とを備え、記憶部は、一の他のユーザと、一のリアクションと、一のユーザとを対応付けて所定の記憶装置に記憶させ、さらに、複数のユーザの中の特定のユーザからの要求に基づいて、当該特定のユーザの端末の表示画面に、当該特定のユーザに対応付けて記憶されたリアクションの数に関する情報を表示するための情報を生成するステータス画面表示生成部を備えることを特徴とする。
【発明の効果】
【００２０】
本発明のコミュニケーションプログラム、コミュニケーション方法、および、情報処理装置によれば、端末を用いて、簡単な操作で相手に自分の気持ちを容易に伝えることができる。
【図面の簡単な説明】
【００２１】
【図１】本発明の実施形態に係るコミュニケーションプログラムの機能構成の一例を示すブロック図である。
【図２】本発明の実施形態に係る端末の表示画面を説明するための概念図である。
【図３】本発明の実施形態に係る端末の表示画面を説明するための概念図である。
【図４】本発明の実施形態に係る端末の表示画面を説明するための概念図である。
【図５】本発明の別の実施形態に係るコミュニケーションプログラムの機能構成の一例を示すブロック図である。）
【図６】本発明の実施形態に係る端末の表示画面を説明するための概念図である。
【図７】本発明の実施形態に係る端末の表示画面を説明するための概念図である。
【図８】本発明の実施形態に係るコンピュータの回路構成の一例を示すブロック図である。
【図９】本発明の実施形態に係るコミュニケーション方法のフローを示すフロー図である。
【図１０】本発明の実施形態に係る情報処理装置の構成の一例を示す構成図である。
【発明を実施するための形態】
【００２２】
本発明のコミュニケーションプログラム、コミュニケーション方法、および、情報処理装置について以下に詳細に説明する。
【００２３】
図１は、本発明のコミュニケーションプログラムの機能構成の一例を示すブロック図である。
図１に示すように、本発明のコミュニケーションプログラムは、コンピュータ１００に、記憶機能１１０と、他ユーザ選択画面生成機能１２０と、他ユーザ選択受付機能１３０と、リアクション選択画面生成機能１４０と、リアクション選択受付機能１５０と、ステータス画面表示生成機能１６０とを実現させる。
【００２４】
コンピュータ１００は、ユーザが有するスマートフォンやパーソナルコンピュータ等の端末あるいは当該端末にインターネットを介して接続されたサーバ装置とすることができるが、これらに限られるものではない。
【００２５】
記憶機能１１０は、複数のユーザのユーザ名を所定の記憶装置に記憶させる。
【００２６】
このとき、ユーザ名はユーザＩＤ等のユーザ識別情報と対応付けて記憶されることができる。ユーザ識別情報は、上記ユーザＩＤの他、ユーザの性別、年齢、所属、役職、入社年度、顔写真、アバタおよびニックネーム等の情報を含むことができるが、特にこれらに限定されるものではない。
【００２７】
なお、本発明において、コミュニケーションの対象となるユーザは少なくとも同じ組織に属するユーザとするのが好ましい。より好ましくは、コミュニケーションの対象となるユーザは、１０人以下とする。１０人以下のメンバーで１つのグループを構成するのが、適度なコミュニケーションを実現するのに効果的なためである。
【００２８】
所定の記憶装置は、コンピュータ１００が備えてもよいし、当該コンピュータ１００に有線／無線で接続された外部装置とすることもできる。
【００２９】
他ユーザ選択画面生成機能１２０は、一のユーザからの要求に応じ、当該一のユーザの端末の表示画面に、記憶機能１１０により記憶された一のユーザを除く複数の他のユーザを選択可能に表示するための情報を生成する。
【００３０】
図２（ａ），（ｂ）は、一のユーザの端末の表示画面を説明するための概念図である。
図２（ａ）に示されるように、一のユーザ２００の端末の表示画面２１０には、一例として、複数の他のユーザのユーザ名２２０が選択可能に表示される。なお、他ユーザ選択画面生成機能１２０は、他のユーザのユーザ名の他、他のユーザのユーザ識別情報である顔写真やアバタ、ニックネームなどを選択可能に表示するための情報を生成することもできる。
【００３１】
そして、他ユーザ選択受付機能１３０は、図２（ｂ）に示されるように、一のユーザ２００による複数の他のユーザの中からの一の他のユーザ３００の選択を受け付ける。なお、図２（ｂ）は、一の他のユーザ３００のユーザ名２３０をタッチすることにより、一の他のユーザ３００が選択されたことを示したものである。
【００３２】
他ユーザ選択受付機能１３０は、上記表示画面２１０がタッチパネル式の入力機能を有する場合には、一のユーザ２００による表示画面２１０のタッチ操作を上記選択として受け付けることができるが、これに限られることなく、一のユーザ２００は、端末が備える入力手段を用いて適宜他のユーザ２３０を選択することができる。
【００３３】
そして、リアクション選択画面生成機能１４０は、図３（ａ）に示されるように、一のユーザ２００の端末の表示画面３１０に、当該一のユーザ２００により選択された一の他のユーザ３００に対して、一のユーザ２００が伝えるべき気持ちを表すテキストを含む１以上のリアクション３２０を選択可能に表示するための情報を生成する。
【００３４】
一のユーザが伝えるべき気持ちを表すテキストを含む１以上のリアクションは、例えば、「ありがとう」「ごめんなさい」「すごい！」「面白い！」「頑張って！」「残念だね！」などのテキストを含むオブジェクトとして表示されることができる。なお、テキストの内容はこれらに限られるものではなく、適宜設定が可能である。
【００３５】
また、図３（ａ）に示すように、一のユーザ２００の端末の表示画面３１０には、一例として、選択された一の他のユーザ３００のユーザ名２３０が表示されるとともに、当該一の他のユーザ３００の識別情報である、入社年度３３０が表示されることができる。
【００３６】
そして、リアクション選択受付機能１５０は、図３（ｂ）に示されるように、一のユーザ２００による１以上のリアクション３２０の中からの一のリアクション３４０の選択を受け付ける。
【００３７】
そして、記憶機能１１０は、一の他のユーザ３００と、一のリアクション３４０と、一のユーザ２００とを対応付けて所定の記憶装置に記憶させる。
【００３８】
一のユーザ２００および一の他のユーザ３００は、ユーザ名の他、これらに対応付けて記憶されたユーザ識別情報を上記一のリアクション３４０に対応付けて記憶されるものとすることができる。
【００３９】
このようにして、複数のユーザの間でリアクションの送受信が行われ、記憶装置にデータが蓄積される。
【００４０】
そして、本発明は、コンピュータに、さらに、複数のユーザの中の特定のユーザからの要求に基づいて、当該特定のユーザの端末の表示画面に、当該特定のユーザに対応付けて記憶されたリアクションの数に関する情報を表示するための情報を生成するステータス画面表示生成機能１６０を実現させることを特徴とする。
【００４１】
なお、この特定のユーザは、上述した一のユーザおよび他のユーザを含むすべてのユーザを示すものとする。
【００４２】
特定のユーザからの要求とは、例えば、特定のユーザのステータス画面の表示要求とすることができる。
【００４３】
特定のユーザに対応付けて記憶されたリアクションの数に関する情報とは、特定のユーザに対応付けて記憶されたリアクションの合計数に代表されるが、その対象期間の単位は適宜設定が可能である。
【００４４】
図４（ａ）は、特定のユーザの端末の表示画面を説明するための概念図である。
図４（ａ）に示されるように、特定のユーザ４００の端末の表示画面４１０には、特定のユーザ４００のステータス画面として、特定のユーザのユーザ名４２０、特定のユーザに関連付けて記憶されたリアクション４３０、および、これらリアクション４３０の数に関する情報（ここでは合計数）４４０が表示されることができる。
【００４５】
なお、図４（ａ）には特定のユーザに対応付けられた返事としてのコメント４５０、および、これらコメント４５０の数に関する情報（ここでは合計数）４６０も表示されているが、これらについては後述する。
【００４６】
以上の構成によれば、ユーザは、自身の端末を用いて、簡単な操作で相手に自分の気持ちを容易に伝えることができるようになる。特に、本発明においては、ユーザは、表示された一以上のリアクションから自分の気持ちを示すリアクションを選択する操作のみで、自分の気持ちを相手に伝えることが可能であり、適度なコミュニケーションを実現することができる。
【００４７】
また、本発明のコミュニケーションプログラムは、図５に示すように、コンピュータ１００に、さらに、ユーザ名表示画面生成機能１７０と、コメント受付機能１７５とを実現させることができる。
【００４８】
図６（ａ）、（ｂ）は、特定のユーザ４００の端末の表示画面５１０を説明するための概念図である。
図６（ａ）に示されるように、ユーザ名表示画面生成機能１７０は、特定のユーザ４００からの要求に基づいて、当該特定のユーザ４００に対応付けて記憶されたリアクションを選択したユーザのユーザ名５２０を表示するための情報を生成する。
【００４９】
そして、コメント受付機能１７５は、図６（ｂ）に示されるように、特定のユーザ４００による、１以上のユーザのユーザ名５２０の中からの一のユーザ名５３０の選択に応じて、当該ユーザ名５３０に対応するユーザに対して特定のユーザ４００が伝えるべき１以上のコメントの入力を受け付ける。
【００５０】
特定のユーザからの要求とは、例えば、図４（ｂ）に示されるように、特定のユーザ４００のステータス画面４１０からのリアクション４３０またはリアクションの数に関する情報４４０の選択操作により行うことができる。
【００５１】
また、上記のユーザ名の選択には、ユーザ名を直接選択する場合の他、図６（ｂ）に示されるように、ユーザ名に対応して表示された返信ボタンをタッチする操作により行われることもできる。
【００５２】
上記コメントの入力は、特定のユーザがテキストを入力することにより行われることもできるし、表示されたコメントを選択することにより行われることもできる。後者については後述する。
【００５３】
以上の構成によれば、ユーザは、自身の端末を用いて、簡単な操作で相手に自分の気持ちを容易に伝えることができるようになる。特に、本発明においては、ユーザは、受信したリアクションに対して、自分の気持ちを相手に返信することが可能であり、適度なコミュニケーションを実現することができる。
【００５４】
また、本発明のコミュニケーションプログラムは、図５に示すように、コンピュータ１００に、さらに、コメント表示画面生成機能１８０を実現させることができる。
【００５５】
コメント表示画面生成機能１８０は、特定のユーザによる、１以上のユーザのユーザ名５２０の中からの一のユーザ名５３０の選択に応じて、の選択に応じて、当該ユーザ名に対応するユーザに対して特定のユーザが伝えるべき１以上のコメントを選択可能に表示するための情報を生成する。
【００５６】
そして、コメント受付機能１７５は、特定のユーザによる、１以上のコメントの中から一のコメントの選択に応じて、ユーザ名に対応するユーザに対して特定のユーザが伝えるべき１以上のコメントの入力を受け付ける。
【００５７】
特定のユーザ４００が伝えるべき１以上のコメントは、例えば、図７に示されるように、「どういたしまして！」「気にしないで！」などのテキストを含むオブジェクト６２０として表示されることができる。なお、テキストの内容はこれらに限られるものではなく、適宜設定が可能である。
【００５８】
以上の構成によれば、ユーザは、自身の端末を用いて、簡単な操作で相手に自分の気持ちを容易に伝えることができるようになる。特に、本発明においては、ユーザは、受信したリアクションに対して、テキスト入力操作を行うことなく、自分の気持ちを相手に簡易に返信することが可能であり、適度なコミュニケーションを実現することができる。
【００５９】
本発明のステータス画面表示生成機能１６０は、特定のユーザの端末の表示画面に、特定のユーザに対応付けて記憶されたリアクションの数に関する情報に加え、特定のユーザに対して返信されたコメントに関する情報も含むステータス画面を表示するための情報を生成することができる。
【００６０】
上記返信されたコメントに関する情報は、図４の参照符号４５０、４６０により示されるものである。
【００６１】
以上の構成によれば、ユーザは、相手に送った自分の気持ちに対する相手の反応を簡易に知ることができ、一方通行ではないコミュニケーションを実現することができる。
【００６２】
また、本発明のコミュニケーションプログラムは、コンピュータ１００に、さらに、複数のユーザ同士がリアルタイムにコメントを送受信可能なチャット機能１８５を実現させることができる。
【００６３】
以上の構成によれば、ユーザは、自身の端末を用いて、簡単な操作で相手に自分の気持ちを容易に伝えることができるようになる。特に、本実施形態においては、ユーザは、選択肢に自分の気持ちが表示されていない場合や、より密なコミュニケーションを望む場合に、自らテキストの入力操作を行い送信することができる。
【００６４】
本発明のコミュニケーションプログラムは、コンピュータ１００に、さらに、コメントに含まれるリアクションに対応する言葉を抽出してリアクションの数に加える抽出機能１９０を実現させることができる。
【００６５】
例えば、ユーザがチャット機能において「昨日は美味しいお菓子ありがとう」というテキストを入力した場合、この文章から「ありがとう」という言葉を抽出し、リアクションの「ありがとう」に対応するものとして集計することができる。
【００６６】
上記の抽出は、完全一致のみならず、部分一致や概念一致などの手法により抽出することで、より正確な集計が可能となる。
【００６７】
なお、上述したチャット機能において、１対１のユーザがコメントを送受信する場合の他、３人以上のユーザ間でコメントを送受信することも可能である。
【００６８】
また、本発明のコミュニケーションプログラムは、コンピュータに、さらに、リアクションの選択回数が設定値以下のユーザおよび／または対応付けて記憶されたリアクションの数が設定値以下のユーザに対し、他のユーザとのコミュニケーションを促すメッセージを通知する通知機能１９５を実現させることができる。
【００６９】
以上の構成によれば、ユーザは、自身の端末を用いて、簡単な操作で相手に自分の気持ちを容易に伝えることができるようになる。特に、本実施形態においては、ユーザの他のユーザとのコミュニケーションの頻度に基づいて適度なコミュニケーションを促すことが可能となる。
【００７０】
また、本発明の本発明のコミュニケーションプログラムは、コンピュータに、さらに、グループメンバー全体にメッセージを通知するための掲示板機能を実現させることもできる。また、グループメンバーは、通知されたメッセージに対して返事を送信することもできる。
【００７１】
なお、上記コミュニケーションプログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【００７２】
図８は、本発明のコンピュータ１００の回路構成を示す回路構成図である。
図８に示すように、本発明のコンピュータ１００は、記憶回路１１０と、他ユーザ選択画面生成回路１２０と、他ユーザ選択受付回路１３０と、リアクション選択画面生成回路１４０と、リアクション選択受付回路１５０と、ステータス画面表示生成回路１６０とを備える。各回路の詳細については上述したコミュニケーションプログラムの各機能において記載したとおりである。
【００７３】
図９は、本発明のコミュニケーション方法のフローを示すフロー図である。
図９に示すように、本発明のコミュニケーション方法は、記憶ステップＳ１１０と、他ユーザ選択画面生成ステップＳ１２０と、他ユーザ選択受付ステップＳ１３０と、リアクション選択画面生成ステップＳ１４０と、リアクション選択受付ステップＳ１５０と、記憶ステップＳ１５５と、ステータス画面表示生成ステップＳ１６０とを備える。
【００７４】
記憶ステップＳ１１０は、複数のユーザのユーザ名を所定の記憶装置に記憶させる。この記憶ステップＳ１１０は、上述した記憶機能１１０により実現されることができる。記憶機能１１０の詳細については上述したとおりである。
【００７５】
他ユーザ選択画面生成ステップＳ１２０は、一のユーザからの要求に応じ、当該一のユーザの端末の表示画面に、記憶ステップに記憶された一のユーザを除く複数の他のユーザを選択可能に表示するための情報を生成する。この他ユーザ選択画面生成ステップＳ１２０は、上述した他ユーザ選択画面生成機能１２０により実現されることができる。他ユーザ選択画面生成機能１２０の詳細については上述したとおりである。
【００７６】
他ユーザ選択受付ステップＳ１３０は、一のユーザによる複数の他のユーザの中からの一の他のユーザの選択を受け付ける。この他ユーザ選択受付ステップＳ１３０は、上述した他ユーザ選択受付機能１３０により実現されることができる。他ユーザ選択受付機能１３０の詳細については上述したとおりである。
【００７７】
リアクション選択画面生成ステップＳ１４０は、一のユーザの端末の表示画面に、当該一のユーザにより選択された一の他のユーザに対して、一のユーザが伝えるべき気持ちを表すテキストを含む１以上のリアクションを選択可能に表示するための情報を生成する。このリアクション選択画面生成ステップＳ１４０は、上述したリアクション選択画面生成機能１４０により実現されることができる。リアクション選択画面生成機能１４０の詳細については上述したとおりである。
【００７８】
リアクション選択受付ステップＳ１５０は、一のユーザによる１以上のリアクションの中からの一のリアクションの選択を受け付ける。このリアクション選択受付ステップＳ１５０は、上述したリアクション選択受付機能１５０により実現されることができる。リアクション選択受付機能１５０の詳細については上述したとおりである。
【００７９】
記憶ステップＳ１５５は、一の他のユーザと、一のリアクションと、一のユーザとを対応付けて所定の記憶装置に記憶させる。この記憶ステップＳ１５５は、上述した記憶機能１１０により実現されることができる。記憶機能１１０の詳細については上述したとおりである。
【００８０】
ステータス画面表示生成ステップＳ１６０は、複数のユーザの中の特定のユーザからの要求に基づいて、当該特定のユーザの端末の表示画面に、当該特定のユーザに対応付けて記憶されたリアクションの数に関する情報を表示するための情報を生成する。このステータス画面表示生成ステップＳ１６０は、上述したステータス画面表示生成機能１６０により実現されることができる。ステータス画面表示生成機能１６０の詳細については上述したとおりである。
【００８１】
以上の構成によれば、ユーザは、自身の端末を用いて、簡単な操作で相手に自分の気持ちを容易に伝えることができるようになる。特に、本発明においては、ユーザは、表示された一以上のリアクションから自分の気持ちを示すリアクションを選択する操作のみで、自分の気持ちを相手に伝えることが可能であり、適度なコミュニケーションを実現することができる。
【００８２】
図１０は、本発明の情報処理装置の構成を示すブロック図である。
図１０に示すように、本発明の情報処理装置１００は、記憶部１１０と、他ユーザ選択画面生成部１２０と、他ユーザ選択受付部１３０と、リアクション選択画面生成部１４０と、リアクション選択受付部１５０と、ステータス画面表示生成部１６０とを備える。
【００８３】
記憶部１１０は、複数のユーザのユーザ名を所定の記憶装置に記憶させる。この記憶部１１０は、上述した記憶機能１１０を実現するためのものである。記憶機能１１０の詳細については上述したとおりである。
【００８４】
他ユーザ選択画面生成部１２０は、一のユーザからの要求に応じ、当該一のユーザの端末の表示画面に、記憶ステップに記憶された一のユーザを除く複数の他のユーザを選択可能に表示するための情報を生成する。この他ユーザ選択画面生成部１２０は、上述した他ユーザ選択画面生成機能１２０を実現するためのものである。他ユーザ選択画面生成機能１２０の詳細については上述したとおりである。
【００８５】
他ユーザ選択受付部１３０は、一のユーザによる複数の他のユーザの中からの一の他のユーザの選択を受け付ける。この他ユーザ選択受付部１３０は、上述した他ユーザ選択受付機能１３０を実現するためのものである。他ユーザ選択受付機能１３０の詳細については上述したとおりである。
【００８６】
リアクション選択画面生成部１４０は、一のユーザの端末の表示画面に、当該一のユーザにより選択された一の他のユーザに対して、一のユーザが伝えるべき気持ちを表すテキストを含む１以上のリアクションを選択可能に表示するための情報を生成する。このリアクション選択画面生成部１４０は、上述したリアクション選択画面生成機能１４０を実現するためのものである。リアクション選択画面生成機能１４０の詳細については上述したとおりである。
【００８７】
リアクション選択受付部１５０は、一のユーザによる１以上のリアクションの中からの一のリアクションの選択を受け付ける。このリアクション選択受付部１５０は、上述したリアクション選択受付機能１５０を実現するためのものである。リアクション選択受付機能１５０の詳細については上述したとおりである。
【００８８】
記憶部１５５は、一の他のユーザと、一のリアクションと、一のユーザとを対応付けて所定の記憶装置に記憶させる。この記憶部１５５は、上述した記憶機能１１０を実現するためのものである。記憶機能１１０の詳細については上述したとおりである。
【００８９】
ステータス画面表示生成部１６０は、複数のユーザの中の特定のユーザからの要求に基づいて、当該特定のユーザの端末の表示画面に、当該特定のユーザに対応付けて記憶されたリアクションの数に関する情報を表示するための情報を生成する。このステータス画面表示生成部１６０は、上述したステータス画面表示生成機能１６０を実現するためのものである。ステータス画面表示生成機能１６０の詳細については上述したとおりである。
【００９０】
以上の構成によれば、ユーザは、自身の端末を用いて、簡単な操作で相手に自分の気持ちを容易に伝えることができるようになる。特に、本発明においては、ユーザは、表示された一以上のリアクションから自分の気持ちを示すリアクションを選択する操作のみで、自分の気持ちを相手に伝えることが可能であり、適度なコミュニケーションを実現することができる。
【００９１】
上述したところは、代表的な実施形態の例を示したものであって、本発明はこの実施形態に限定されるものではない。
【符号の説明】
【００９２】
１００  コンピュータ
１１０  記憶機能
１２０  他ユーザ選択画面生成機能
１３０  他ユーザ選択受付機能
１４０  リアクション選択画面生成機能
１５０  リアクション選択受付機能
１６０  ステータス画面表示生成機能
１７０  ユーザ名表示画面生成機能
１７５  コメント受付機能
１８０  コメント表示画面生成機能
１８５  チャット機能
１９０  抽出機能
１９５  通知機能
【図１】
2019101691.tif 000003
【図２】
2019101691.tif 000004
【図３】
2019101691.tif 000005
【図４】
2019101691.tif 000006
【図５】
2019101691.tif 000007
【図６】
2019101691.tif 000008
【図７】
2019101691.tif 000009
【図８】
2019101691.tif 000010
【図９】
2019101691.tif 000011
【図１０】
2019101691.tif 000012
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
コンピュータに、
グループを構成するメンバーである複数のユーザのユーザ名を所定の記憶装置に記憶させる記憶機能と、
一のユーザからの要求に応じ、当該一のユーザの端末の表示画面に、前記記憶装置に記憶された、前記一のユーザが属するグループの前記一のユーザを除くすべての複数の他のユーザを選択可能に表示するための情報を生成する他ユーザ選択画面生成機能と、
前記一のユーザによる前記複数の他のユーザの中からの一の他のユーザの選択を受け付ける他ユーザ選択受付機能と、
前記一のユーザの端末の表示画面に、当該一のユーザにより選択された前記一の他のユーザに対して、前記一のユーザが伝えるべき気持ちを表すテキストを含む１以上のリアクションを選択可能に表示するための情報を生成するリアクション選択画面生成機能と、
前記一のユーザによる前記１以上のリアクションの中からの一のリアクションの選択を受け付けるリアクション選択受付機能と
を実現させ、
前記記憶機能は、前記一の他のユーザと、前記一のリアクションと、前記一のユーザとを対応付けて前記所定の記憶装置に記憶させ、
前記コンピュータに、さらに、
前記複数のユーザの中の特定のユーザからの要求に基づいて、当該特定のユーザの端末の表示画面に、当該特定のユーザに対応付けて記憶された、当該特定のユーザが受けたリアクションおよび当該リアクションの数に関する情報を表示するための情報を生成するステータス画面表示生成機能と、
前記特定のユーザによる前記リアクションまたは当該リアクションの数に関する情報の選択操作に基づいて、前記特定のユーザにより選択されたリアクションを選択した１以上のユーザのユーザ名を選択可能に表示するための情報を生成するユーザ名表示画面生成機能と
を実現させることを特徴とするコミュニケーションプログラム。
【請求項２】
前記コンピュータに、さらに、
前記特定のユーザによる、前記１以上のユーザのユーザ名の中からの一のユーザ名の選択に応じて、当該ユーザ名に対応するユーザに対して前記特定のユーザが伝えるべき１以上のコメントの入力を受け付けるコメント受付機能を実現させることを特徴とする請求項１に記載のコミュニケーションプログラム。
【請求項３】
前記コンピュータに、さらに、
前記特定のユーザによる、前記１以上のユーザのユーザ名の中からの一のユーザ名の選択に応じて、当該ユーザ名に対応するユーザに対して前記特定のユーザが伝えるべき１以上のコメントを選択可能に表示するための情報を生成するコメント表示画面生成機能を実現させ、
前記コメント受付機能は、前記特定のユーザによる、前記１以上のコメントの中から一のコメントの選択に応じて、前記ユーザ名に対応するユーザに対して前記特定のユーザが伝えるべき１以上のコメントの入力を受け付けることを特徴とする請求項２に記載のコミュニケーションプログラム。
【請求項４】
前記ステータス画面表示生成機能は、前記特定のユーザの端末の表示画面に、前記特定のユーザに対応付けて記憶されたリアクションの数に関する情報に加え、前記特定のユーザに対して返信されたコメントに関する情報を表示するための情報を生成する請求項２または３に記載のコミュニケーションプログラム。
【請求項５】
前記コンピュータに、さらに、
前記複数のユーザ同士がリアルタイムにコメントを送受信可能なチャット機能を実現させることを特徴とする請求項１〜４のいずれか一項に記載のコミュニケーションプログラム。
【請求項６】
前記コンピュータに、さらに、
前記コメントに含まれる前記リアクションに対応する言葉を抽出して前記リアクションの数に加える抽出機能を実現させることを特徴とする請求項５に記載のコミュニケーションプログラム。
【請求項７】
前記コンピュータに、さらに、
前記リアクションの選択回数が設定値以下のユーザに対し、他のユーザとのコミュニケーションを促すメッセージを通知する通知機能を実現させることを特徴とする請求項１〜６のいずれか一項に記載のコミュニケーションプログラム。
【請求項８】
前記コンピュータに、さらに、
対応付けて記憶されたリアクションの数が設定値以下のユーザに対し、他のユーザとのコミュニケーションを促すメッセージを通知する通知機能を実現させることを特徴とする請求項１〜７のいずれか一項に記載のコミュニケーションプログラム。
【請求項９】
コンピュータに、
グループを構成するメンバーである複数のユーザのユーザ名を所定の記憶装置に記憶させる記憶ステップと、
一のユーザからの要求に応じ、当該一のユーザの端末の表示画面に、前記記憶装置に記憶された、前記一のユーザが属するグループの前記一のユーザを除くすべての複数の他のユーザを選択可能に表示するための情報を生成する他ユーザ選択画面生成ステップと、
前記一のユーザによる前記複数の他のユーザの中からの一の他のユーザの選択を受け付ける他ユーザ選択受付ステップと、
前記一のユーザの端末の表示画面に、当該一のユーザにより選択された前記一の他のユーザに対して、前記一のユーザが伝えるべき気持ちを表すテキストを含む１以上のリアクションを選択可能に表示するための情報を生成するリアクション選択画面生成ステップと、
前記一のユーザによる前記１以上のリアクションの中からの一のリアクションの選択を受け付けるリアクション選択受付ステップと
を実行させ、
前記記憶ステップは、前記一の他のユーザと、前記一のリアクションと、前記一のユーザとを対応付けて前記所定の記憶装置に記憶させ、
前記コンピュータに、さらに、
前記複数のユーザの中の特定のユーザからの要求に基づいて、当該特定のユーザの端末の表示画面に、当該特定のユーザに対応付けて記憶された、当該特定のユーザが受けたリアクションおよび当該リアクションの数に関する情報を表示するための情報を生成するステータス画面表示生成ステップと、
前記特定のユーザによる前記リアクションまたは当該リアクションの数に関する情報の選択操作に基づいて、前記特定のユーザにより選択されたリアクションを選択した１以上のユーザのユーザ名を選択可能に表示するための情報を生成するユーザ名表示画面生成ステップと
を実行させることを特徴とするコミュニケーション方法。
【請求項１０】
グループを構成するメンバーである複数のユーザのユーザ名を所定の記憶装置に記憶させる記憶部と、
一のユーザからの要求に応じ、当該一のユーザの端末の表示画面に、前記記憶装置に記憶された、前記一のユーザが属するグループの前記一のユーザを除くすべての複数の他のユーザを選択可能に表示するための情報を生成する他ユーザ選択画面生成部と、
前記一のユーザの端末の表示画面に、当該一のユーザにより選択された前記一の他のユーザに対して、前記一のユーザが伝えるべき気持ちを表すテキストを含む１以上のリアクションを選択可能に表示するための情報を生成するリアクション選択画面生成部と、
前記一のユーザによる前記１以上のリアクションの中からの一のリアクションの選択を受け付けるリアクション選択受付部と
を備え、
前記記憶部は、前記一の他のユーザと、前記一のリアクションと、前記一のユーザとを対応付けて前記所定の記憶装置に記憶させ、
さらに、
前記複数のユーザの中の特定のユーザからの要求に基づいて、当該特定のユーザの端末の表示画面に、当該特定のユーザに対応付けて記憶された、当該特定のユーザが受けたリアクションおよび当該リアクションの数に関する情報を表示するための情報を生成するステータス画面表示生成部と、
前記特定のユーザによる前記リアクションまたは当該リアクションの数に関する情報の選択操作に基づいて、前記特定のユーザにより選択されたリアクションを選択した１以上のユーザのユーザ名を選択可能に表示するための情報を生成するユーザ名表示画面生成部と
を備えることを特徴とする情報処理装置。
【手続補正２】
【補正対象書類名】明細書
【補正対象項目名】００５５
【補正方法】変更
【補正の内容】
【００５５】
コメント表示画面生成機能１８０は、特定のユーザによる、１以上のユーザのユーザ名５２０の中からの一のユーザ名５３０の選択に応じて、当該ユーザ名に対応するユーザに対して特定のユーザが伝えるべき１以上のコメントを選択可能に表示するための情報を生成する。